(57)【要約】【課題】本体ケースの左右の釣り合い（シンメトリー化）を図り、使い易い温風暖房機を提供する。【解決手段】温風吹出し口２ａを本体ケース１の前面左右に形成した一定幅の閉塞部分２ｂの間である本体ケースの前面下部の中央に配置し、温風吹出し口の左右に対向する本体ケース内の左空間部１３ａに電源変圧器１１と制御基板１２、右空間部１３ｂに送風モータ１０と燃料供給弁ブロック９を分けて設置し、さらに燃焼バーナ、送風ファンを収容した金属ケースの燃焼ブロック８を本体ケース内の左空間部と右空間部の間に設置したものである。本体ケースの前面左右の釣り合いがとれるだけでなく、本体ケース内の送風モータ、燃料供給弁ブロック、電源変圧器、制御基板の配置により左右の重量バランスを図り、使い勝手をよくできる。【選択図】  図１
2004183975.tif 000002
【特許請求の範囲】
【請求項１】
前面に温風吹出し口、後面に空気吸込み口を有する本体ケース内に、前記空気吸込み口を介して居室内から取り込んだ空気を暖める燃焼バーナと、暖められた前記空気を温風として前記温風吹出し口より再び居室内に送りだす送風ファンと、燃料を取りこみ前記燃焼バーナに供給する燃料供給弁ブロックと、送風ファンを回転する送風モータと、電源変圧器とを内装し、前記温風吹出し口は前記本体ケースの前面左右に形成した一定幅の閉塞部分の間である本体ケースの前面下部の中央に配置し、燃料供給弁ブロック、送風モータ、電源変圧器のそれぞれは、前記温風吹出し口の左側と右側の閉塞部分に対向する本体ケース内の左側と右側の空間部に分けて配置した温風暖房機。
【請求項２】
前面に温風吹出し口、後面に空気吸込み口を有する本体ケース内に、前記空気吸込み口を介して居室内から取り込んだ空気を暖める燃焼バーナと、暖められた前記空気を温風として前記温風吹出し口より再び居室内に送りだす送風ファンと、燃料を取りこみ前記燃焼バーナに供給する燃料供給弁ブロックと、送風ファンを回転する送風モータと、電源変圧器とを内装し、前記燃焼バーナおよび送風ファンは前記本体ケースの左右に形成した一定幅の左空間部と右空間部の間である前記本体ケースの正面に向かって中央に、前記送風モータと前記燃料供給弁ブロックと前記電源変圧器は左空間部と右空間部に前記本体ケースの左右重量がバランスするように配置した温風暖房機。
【請求項３】
本体ケースに居室内の室温を計測する室温検知器を設け、前記室温検知器は、送風モータの熱影響を回避する配置とした請求項１または請求項２記載の温風暖房機。
【請求項４】
本体ケース内に燃料供給弁ブロック、送風モータ、電源変圧器などの各部品と配線した制御基板を設け、前記制御基板は接続する前記各部品との配線の接続作業を、前記本体ケースの正面に向って右側から左側方向に右手で実施可能な左空間部に配置した請求項１〜請求項３のいずれかに記載の温風暖房機。
【請求項５】
本体ケースは、制御基板と接続する各部品の配線を固定するガイドを設けた請求項１〜４のいずれかに記載の温風暖房機。
【請求項６】
本体ケースの空気吸込み口は、本体ケースの後面に左右対称に形成した請求項１〜５のいずれかに記載の温風暖房機。
【請求項７】
前面に温風吹出し口、後面に空気吸込み口を有する本体ケース内に、前記空気吸込み口を介して居室内から取り込んだ空気を暖める燃焼バーナと、暖められた前記空気を温風として前記温風吹出し口より再び居室内に送りだす送風ファンと、燃料を取りこみ前記燃焼バーナに供給する燃料供給弁ブロックと、送風ファンを回転する送風モータと、電源変圧器と、制御基板とを内装し、前記燃焼バーナおよび送風ファンは前記本体ケースの左右に形成した一定幅の左空間部と右空間部の間である前記本体ケースの正面に向かって中央に、前記送風モータと前記燃料供給弁ブロックは左空間部と右空間部のいずれか一方側に、前記電源変圧器と制御基板は左空間部と右空間部のいずれか他方側にそれぞれ配置し、前記温風吹出し口は前記本体ケースの前面左右に形成し、かつ前記左空間部と右空間部に相対向した一定幅の閉塞部分の間である本体ケースの前面下部の中央に配置した温風暖房機。
【発明の詳細な説明】
【０００１】
【発明の属する技術分野】
本発明は、ガス、石油などを燃料とする温風暖房機の構成に関するものである。
【０００２】
【従来の技術】
従来の温風暖房機は、燃料のガスや石油に関係なく、図６〜図１０に示すような構成である。すなわち、温風暖房機の本体ケース１は前面下部に温風吹出し口２、背面に空気吸込み口３、天面中央部分に機器の運転を操作したり運転状況を表示する操作部４、背面中央に機器を持ち運びする際に手を入れて握る取っ手５をそれぞれ有している。
【０００３】
そして、本体ケース１内には、空気吸込み口３を介して居室内から取り込んだ空気を暖める、ガスを燃焼する燃焼部分６ａおよびガスと一次空気を混合するスロート部６ｂからなる燃焼バーナ６と暖められた前記空気を温風として温風吹出し口２より再び居室内に送りだす送風ファン７とを収納した金属ケースの燃焼ブロック８と、燃料を取りこみ燃焼バーナ６に供給および停止をする電磁弁、燃焼量に応じて燃料供給を比例制御する比例電磁弁などからなる燃料供給弁ブロック９と、送風ファン７を回転する送風モータ１０と、電源変圧器１１と、制御基板１２とを内装している。
【０００４】
燃焼ブロック８は、本体ケース１の左側面側いっぱいに偏って本体ケース１の左側に配置し、一方、燃料供給弁ブロック９、送風モータ１０、電源変圧器１１、制御基板１２と、そして燃焼バーナ６のスロート部６ｂとは、燃焼ブロック８が本体ケース１の左側いっぱいに偏ってできた右側の比較的に大きな空間部１３にそれぞれ配置している。
【０００５】
そして、燃料供給弁ブロック９と電源変圧器１１は、並べて空間部１３の一番下に、電源変圧器１１より上方に送風モータ１０、さらに上方にスロート部６ｂおよびスロート部６ｂに固定され、かつ燃料供給弁ブロック９に燃料供給管１４を介して接続され、ガスをスロート部６ｂに噴出するノズルなどの燃料噴出体１５がそれぞれ配置され、さらにまた長方形平板状の制御基板１２は本体ケース１の右側面に沿って縦方向に燃焼ブロック８より上方から燃料噴出体１５と重合しながら燃料供給弁ブロック９の脇までに配置されている。
【０００６】
以上のように本体ケース１内には、左側に燃焼ブロック８を、右側に燃焼バーナ６のスロート部６ｂ、燃料供給弁ブロック９、送風モータ１０、電源変圧器１１、制御基板１２などの主要部品が配置されている。従って、温風の吹出し口２は図７に示すように本体ケース１の正面からのデザイン感覚を良くするため、本体ケース１の全幅にわたる横長の開口に形作っている。
【０００７】
しかし、燃焼ブロック８から送風ファン７により送出され、実際に温風の出る実質の温風吹出し口２ａは、燃焼ブロック８の本体ケース１に対する配置との関係から、斜線部分で示す通りの本体ケース１の左側にいっぱいに偏り、一方、空間部１３に対向し温風の出ない外観のみの温風吹出し口をデザインした閉塞部分２ｂの形態にしている。
【０００８】
また、本体ケース１の後面に設けた空気吸込み口３も、燃焼ブロック８に対向して本体ケース１の左側に、居室内に送り出す温風分の量およびスロート部６ｂでガスと混合し燃焼に必要な空気の量を取り入れる複数の横長の孔３ａおよび空間部１３に対向して本体ケース１の右側に複数の小さい孔３ｂの配置で構成されている。
【０００９】
空気吸込み口３の空間部１３に対向する孔３ｂには、室温検知器１６を取り付け、送風ファン７の回転により生じる空気の流れで居室内の温度を室温として検出するが、送風モータ１０との距離も少ないため、送風モータ１０の巻線、電源変圧器１１の巻線の発熱による熱影響を受け、居室内の温度より高い温度を検知している。
【００１０】
制御基板１２は、マイクロコンピュータおよびその周辺回路で構成され、電源変圧器１１より商用電源を回路に必要な電圧に調整されて供給され、そして室温検知器１６の検知信号と、使用者の設定した温度信号を取り込んで燃焼バーナ６、燃料供給弁ブロック９、送風モータ１０を制御し機器の暖房運転を制御するもので、上記したように室温検知器６が居室内の温度より高い温度を検知するため、室温検知器１６が読み取った温度より数度、低くする補正を加えて操作部４に現在の居室温度を表示する。
【００１１】
また制御基板１２は、燃料供給弁ブロック９、送風モータ１０、電源変圧器１１からの配線１７のコネクタ１８を、本体ケース１の正面に向って左側から右側に向って本体ケース１のコネクタ１９に差し込んで配線１７が制御基板１２の回路に接続されるように、本体ケース１の正面に向って左側方向に向いた前記コネクタ１９を備えている。
【００１２】
上記構成において、送風モータ１０により送風ファン７を回転すると、この送風ファン７により空気吸込み口３から矢印で示すように温風用と燃焼用の空気が取り入れられる。ガスは本体ケース１の右側の取り入れ口（図示せず）から取り入れ燃料供給弁ブロック９でガスの噴出圧の調整を行ない燃料供給管１４を経由して燃料噴出体１５よりスロート部６ｂに噴出し、その時に吸引した空気を混合して燃焼バーナ６の燃焼部分６ａから噴出し、点火により燃焼を開始する。この燃焼熱で暖められた温風用の空気は、送風ファン７により矢印で示すように送られ温風吹出し口２における左側の実質的な温風吹出し口２ａから温風となって噴出する。
【００１３】
このように機器を構成する主要部品のほとんどが機器の右側に配置している。これを寸法関係で示すと機器全体の幅である本体ケース１の幅ｈ１は３７５ｍｍ、燃焼ブロック８の幅ｈ２は１９０ｍｍで、機器全体の約半分程度が温風吹出し口２ａの寸法である。また、本体ケース１における温風吹出し口２ａから左側の幅ｈ３は３５ｍｍ、逆に右側の幅ｈ４が１４５ｍｍで、空間部１３のほとんどが右側に偏っている。そして、空間部１３に機器を構成する主要部品のほとんどを折り重なるように設置している。
【００１４】
すなわち、送風モータ１０の幅ｈ５は７０ｍｍで、燃焼ブロック８の下部よりの高さ７０ｍｍの位置に設置している。また、送風モータ１０の下部の空間部１３に、幅ｈ６が５５ｍｍ、高さ５０ｍｍの電源変圧器１１を設置している。また燃焼ブロック８より突き出たスロート部６ｂと燃料噴出体１５までの幅ｈ７は９０ｍｍ突き出ている。
【００１５】
さらに、電源変圧器１１の横には、幅ｈ８が４５ｍｍの燃料供給弁ブロック９を設置し、制御基板１２は幅ｈ９が４０ｍｍで燃料供給弁ブロック９の上部に設置している。そして、制御基板１２は高さ（長さ）が２５０ｍｍのため燃料噴出体１５の部分まで重なり、燃焼ブロック８から右側の幅ｈ４が１４５ｍｍの空間部１３に、幅ｈ７が９０ｍｍを占めるスロート部６ｂおよび燃料噴出体１５と、幅ｈ９が４０ｍｍの制御基板１２で、この現状のスペースを占めている。
【００１６】
このように主要部品を折り重なるように設置することで機器全体のコンパクト化を実現している。
【００１７】
しかしながら、従来のガス温風暖房機では上記したように主要部品を折り重なるように本体ケース１の右側の空間部１３に設置して機器のコンパクト化を実現するなかで、温風吹出し口２ａが、本体ケース１の左側に偏り、釣り合いのとれていない（以下、非シンメトリー（ＳＹＭＭＥＴＲＹ）と云う）ものになっている。
【００１８】
具体的な課題としては、ほとんどの主要部品が本体ケース１の右側にあり左右の重量バランスが取れていない。
【００１９】
主要部品の重量は、燃料供給弁ブロック９が４７０ｇ、送風モータ１０が４２０ｇ、電源変圧器１１が５７０ｇ、制御基板１２が２８０ｇで、これらの部品の重量１７４０ｇが燃焼ブロック８の右側にかかる。このため、機器を持ち運んだり、掃除の際に取っ手５を持った時の重量が微妙にアンバランスになっていた。
【００２０】
また、機器の外観はコンパクトであるが、金属の成形部品が多く全重量では５Ｋｇをこえる一方、コンパクト化のため本体ケース１に設けた取っ手５も、充分に手で握れるような大きさが確保できないため、上記した重量のアンバランスさは、逆に取っ手５の持ち難い印象が強く出てしまっていた。
【００２１】
また、巻線を加工した送風モータ１０や電源変圧器１１、また燃料供給弁ブロック９を折り重なるように配置するため、これら巻線の自己発熱による熱だまりが空間部１３に起きる。居室内の温度を感知する室温検知器１６は、本体ケース１の後面にあって、空気吸込み口３を通る空気の流れで居室内の温度を検知するが、送風モータ１０との距離が少なく、かつ送風モータ１０や電源変圧器１１の巻線の熱が空間部１３に集中し、この熱影響を受け居室内の温度より高い温度を検知してしまう。
【００２２】
そこで、制御基板１２は室温検知器１６が読み取った温度より数度、低くする補正を加えて操作部４に表示する。このように補正を加えることの反動として、機器の運転初期と（巻線が自己発熱する前）と安定後（巻線が自己発熱した後）の室温表示にずれが発生してしまい、運転初期は補正のため実際の室温より低い温度を表示することになる。このことは、使用者に誤解を与える商品の提供になり、さらに細かい補正を加えてこの温度差をなくす処理も必要とするものである。
【００２３】
また、上記したように温風吹出し口２はワイド感を訴求するため本体ケース１の横幅いっぱいに設けているが、実際に温風が吹き出す温風吹出し口２ａは正面中央より左に寄った２／３程度の寸法である。従って、ワイド感を訴求するには、温風の出ない閉塞部分３ｂを目立たせない工夫が必要となり、どうしても黒系統の色彩に限定されている。このため、商品がシンメトリーでないことと合わせてデザインイメージを変えることができにくい商品となっていた。
【００２４】
また、温風吹出し口２ａは本体ケース１の左側いっぱいに偏っているので、本体ケース１の左側面を部屋などの壁に近接して使用した際の本体ケースから壁への伝熱および温風吹出し口２ａからの温風熱を想定し、壁に与える温度を消防法基準に定められた温度上昇以下（室温＋６５℃以下）にするため、本体ケース１の空気吸込み口３からの空気の吸い込み形状（空気吸込み口３を構成する孔の配列も含め）を決定するのに多くの時間を要していた。
【００２５】
すなわち、燃焼ブロック８の左側から本体ケース１の左側面までの幅ｈ３が３５ｍｍのスペースで、この部分では温度を下げる空気対流が起こらないので、空気吸込み口３からの吸い込みが決まらず、形状を決定するのに多くの時間を必要としていた。
【００２６】
また、機器の使用において設置場所も、機器の左右側面に隣接することになる壁面との距離が、本体ケース１の左右で異なることを使用者に知らせるのに取扱説明書のほかチラシ、本体ケースの注意銘版で注意喚起をしなければならない。
【００２７】
【発明が解決しようとする課題】
上記従来の技術の問題点に鑑み、本発明が解決しようとする課題は、本体ケースの左右の釣り合い（シンメトリー化）を図り、使い易い温風暖房機を提供することにある。
【００２８】
【課題を解決するための手段】
上記課題を解決するための本発明の温風暖房機は、温風吹出し口を本体ケースの前面左右に形成した一定幅の閉塞部分の間である本体ケースの前面下部の中央に配置し、前記温風吹出し口の左右における一定幅の閉塞部分に対向する前記本体ケース内の左側と右側の空間部に送風モータ、燃料供給弁ブロック、電源変圧器のそれぞれを分けて設置したものである。
【００２９】
このような手段により、本体ケースの前面左右の釣り合いがとれるだけでなく、本体ケースの設置場所における左右の規制が解消でき、また左右の重量バランスがよくなるなどの使い勝手をよくできるものである。
【００３０】
【発明の実施の形態】
上記した本発明の目的は、各請求項に記載した構成を実施の形態とすることにより達成できるので、以下には各請求項の構成にその構成による作用効果を併記し併せて請求項記載の構成のうち説明を必要とする特定用語については詳細な説明を加えて、本発明における実施の形態の説明とする。
【００３１】
請求項１記載に係る発明は、前面に温風吹出し口、後面に空気吸込み口を有する本体ケース内に、前記空気吸込み口を介して居室内から取りこんだ空気を暖める燃焼バーナと、暖められた前記空気を温風として前記温風吹出し口より再び居室内に送りだす送風ファンと、燃料を取りこみ前記燃焼バーナに供給する燃料供給弁ブロックと、送風ファンを回転する送風モータと、電源変圧器とを内装し、前記温風吹出し口は前記本体ケースの前面左右に形成した一定幅の閉塞部分の間である本体ケースの前面下部の中央に配置し、燃料供給弁ブロック、送風モータ、電源変圧器のそれぞれは、温風吹出し口の左側と右側の閉塞部分に対向する本体ケース内の左側と右側の空間部に分けて配置した温風暖房機である。
【００３２】
上記実施の形態によれば、本体ケースの前面左右に形成した一定幅の閉塞部分の間である本体ケースの前面下部の中央に温風吹出し口が位置することで、本体ケースの片側に温風吹出し口が偏った従来の技術のように、前記片側と反対側にも温風の出ない吹出し口をわざわざ形成して、本体ケースの前面幅の全体に温風吹出し口があるかのような不要な工作をすることなく、本体ケースの前面を簡単にシンメトリーにできるとともに、本体ケースの側面を部屋の壁に近接させた使用形態であっても本体ケースの側面からの伝熱および温風吹出し口からの温風熱が和らげられ、部屋の壁が熱くなるのを軽減させることが可能になる。
【００３３】
また左側と右側の空間部は、電源変圧器、送風モータ、燃料供給弁ブロックの主要部品をそれぞれ分けて収容するだけの一定幅を持ったスペースを有し、かつ本体ケース内の左右に配置されているので、左右の空間部への空気流入を図る空気吸込み口の形成が簡単になり、左右の空間部での熱だまりも軽減することが可能になる。
【００３４】
また、温風吹出し口が本体ケースの前面左右に形成した一定幅の閉塞部分の間である本体ケースの前面下部の中央に位置することにより、温風吹出し口の左側と右側の閉塞部分に対向する本体ケース内の左側と右側の空間部には燃料供給弁ブロック、送風モータ、電源変圧器のそれぞれを分けて配置することが可能になり、温風暖房機の使い勝手の向上を図ることが可能になる。
【００３５】
例えば、暖房運転中に巻線より熱を発する送風モータと電源変圧器を本体ケース内における温風吹出し口の左側と右側に分けて配置することで、本体ケース内における左側空間部、または右側空間部に熱が集中しなくなり、他の温度を検知するために温度検出手段を左側空間部、または右側空間部における本体ケース内に配置したとしても電源変圧器または送風モータの熱影響が軽減され、正確な温度検知が可能になり、かつ配置も容易になる。
【００３６】
また例えば、送風モータと燃料供給弁ブロックを本体ケース内における左側空間部と右側空間部のいずれか一方に、他方に電源変圧器とこれにより電圧調整された電源を受ける制御基板などをそれぞれ配置することにより、本体ケースの左右の重量バランスを従来の技術の温風暖房機よりも高められ持ち運びなどが容易になる。
【００３７】
請求項２記載に係る発明は、前面に温風吹出し口、後面に空気吸込み口を有する本体ケース内に、前記空気吸込み口を介して居室内から取りこんだ空気を暖める燃焼バーナと、暖められた前記空気を温風として前記温風吹出し口より再び居室内に送りだす送風ファンと、燃料を取りこみ前記燃焼バーナに供給する燃料供給弁ブロックと、送風ファンを回転する送風モータと、電源変圧器とを内装し、前記燃焼バーナおよび送風ファンは前記本体ケースの左右に形成した一定幅の左空間部と右空間部の間である前記本体ケースの正面に向かって中央に、前記送風モータと前記燃料供給弁ブロックと前記電源変圧器は左空間部と右空間部に前記本体ケースの左右の重量がバランスするように配置した温風暖房機である。
【００３８】
上記実施の形態によれば、燃焼バーナおよび送風ファンを本体ケースの左右に形成した一定幅の左空間部と右空間部の間である本体ケースの正面に向かって中央に配置することで、温風吹出し口も本体ケースの前面下部の中央に配置することが容易に可能になり、また本体ケースの左右の重量がバランスするように送風モータと燃料供給弁ブロックと電源変圧器は、中央に位置する燃焼バーナおよび送風ファンの左側と右側に配置されているので、本体ケースの前面並びに重量がシンメトリー的になり、例えば本体ケースの取っ手の構成と、温風吹出し口を含む本体ケースの前面の構成を、デザイン面を含めた新たな展開が可能になる。
【００３９】
請求項３記載に係る発明は、請求項１または請求項２記載において、本体ケースに居室内の室温を計測する室温検知器を設け、前記室温検知器は、送風モータなどの熱影響を回避する配置とした温風暖房機である。
【００４０】
上記実施の形態によれば、温風暖房機の運転中、比較的に多くの熱を発する送風モータなどの熱影響を回避する本体ケースに配置し、例えば本体ケース内の燃焼バーナおよび送風ファンの左右に形成した一定幅の左空間部と右空間部に送風モータと電源変圧器を分けて配置することにより、送風モータと電源変圧器からの熱が一箇所に集中しなくなり、そして本体ケース内の左空間部または右空間部であって電源変圧器が配置された一方側において室温検知器を配置することが可能になって、より居室内に近い室温を検知できることになり、従来の技術で説明したような、一箇所に集中した送風モータと電源変圧器の両者からの熱影響で室温検知器が実際の室温より高めの温度検知をしてしまうのを補正することが不必要になるとともに、居室内に近い室温を表示することが可能になる。
【００４１】
請求項４記載に係る発明は、請求項１〜請求項３のいずれかの記載において、本体ケース内に燃料供給弁ブロック、送風モータ、電源変圧器などの各部品と配線した制御基板を設け、前記制御基板は接続する前記各部品との配線の接続作業を、前記本体ケースの正面に向って右側から左側方向に右手で実施可能な左空間部に配置した温風暖房機である。
【００４２】
上記実施の形態によれば、配線の接続作業を本体ケースの正面に向って右側から左側方向に右手で実施可能な左空間部に配置した制御基板は、燃料供給弁ブロック、送風モータ、電源変圧器などの各部品からの配線を右手で作業することが可能になり、例えば制御基板に設けたコネクタに、配線に設けたコネクタを右手で持って右側から左側方向に差し込んで接続することが可能になり、人間工学的に自然な姿勢の手先で行え、また一般的に右利きの人が多い実情からも、作業性の改善向上になる。
【００４３】
請求項５記載に係る発明は、請求項１〜４のいずれかの記載において、本体ケースは、制御基板と接続する各部品の配線を固定するガイドを設けた温風暖房機である。
【００４４】
上記実施の形態によれば、本体ケースのガイドにより、燃料供給弁ブロック、送風モータ、電源変圧器など各部品から導出され、制御基板に接続する配線は固定され、本体ケース内の燃焼バーナおよび送風ファンの左側と右側の空間部に分けて前記各部品が設けられていることにより配線が混雑する場合には有利になり、配線が燃焼ブロックの熱影響や、端面エッジの影響を受けるのを回避することができ安全性の確保ができる。
【００４５】
請求項６記載に係る発明は、請求項１〜５のいずれかに記載のもので、本体ケースの空気吸込み口は、本体ケースの後面に左右対称に形成した温風暖房機である。
【００４６】
上記実施の形態によれば、本体ケースの後面に左右対称に位置する空気吸込み口からは、空気が本体ケース内に偏ることなく吸引されることになり、従来の技術のように、本体ケースの左側に温風吹出し口と燃焼バーナおよび送風ファンが偏って配置されたことにより生じる本体ケースの右側の熱だまりが解消され、本体ケースの空気吸込み口からの空気の吸い込み形状を容易に決定することができ温度上昇の抑制などの設計上の懸案を容易に解消できる。
【００４７】
また本体ケースの設置場所における壁に対する左右の規制が不要になり、取扱説明書やチラシでの特別の注意喚起も不要となる。
【００４８】
請求項７記載に係る発明は、前面に温風吹出し口、後面に空気吸込み口を有する本体ケース内に、前記空気吸込み口を介して居室内から取りこんだ空気を暖める燃焼バーナと、暖められた前記空気を温風として前記温風吹出し口より再び居室内に送りだす送風ファンと、燃料を取りこみ前記燃焼バーナに供給する燃料供給弁ブロックと、送風ファンを回転する送風モータと、電源変圧器と、制御基板とを内装し、前記燃焼バーナおよび送風ファンは前記本体ケース内の左右に形成した一定幅の左空間部と右空間部の間である前記本体ケースの正面に向かって中央に、前記送風モータと前記燃料供給弁ブロックは前記左空間部と右空間部のいずれか一方側に、前記電源変圧器と制御基板は左空間部と右空間部のいずれか他方側にそれぞれ配置し、前記温風吹出し口は前記本体ケースの前面左右に形成し、かつ前記左空間部と右空間部に相対向した一定幅の閉塞部分の間である本体ケースの前面下部の中央に配置した温風暖房機である。
【００４９】
上記実施の形態によれば、本体ケースの前面左右に形成した一定幅の閉塞部分の間である本体ケースの前面下部の中央に温風吹出し口が位置することで、本体ケースの片側に温風吹出し口が偏った従来の技術のように、前記片側と反対側にも温風の出ない吹出し口をわざわざ形成して、本体ケースの前面幅の全体に温風吹出し口があるかのような不要な工作をすることなく、本体ケースの前面を簡単にシンメトリーにできるとともに、本体ケースの側面を部屋の壁に近接させた使用形態であっても本体ケースの側面を通じての伝熱および温風吹出し口からの温風熱が和らげられ、部屋の壁が熱くなるのを軽減させることが可能になる。
【００５０】
また、温風吹出し口は本体ケースの前面左右に形成した一定幅の閉塞部分の間である本体ケースの前面下部の中央に配置し、送風モータと電源変圧器は本体ケース内の左右に形成した一定幅の左空間部と右空間部の一方に、他方に電源変圧器とこれにより電圧調整された電源を受ける制御基板をそれぞれ配置しているので、送風モータと電源変圧器の発する熱が本体ケース内における左空間部または右空間部のいずれか一方に集中しなくなり、他の温度を検知する目的の温度検出手段を左空間部または右空間部における本体ケース内に配置したとしても電源変圧器または送風モータの熱影響が軽減され、正確な温度検知が可能になり、かつ配置も容易になる。
【００５１】
また送風モータと燃料供給弁ブロックは本体ケース内における左空間部または右空間部の一方に、他方に電源変圧器とこれにより電圧調整された電源を受ける制御基板を配置しているので、本体ケースの左右の重量バランスを従来の技術の温風暖房機よりも高められ持ち運びなどが容易になる。
【００５２】
また左空間部は電源変圧器と制御基板、右空間部は送風モータと燃料供給弁ブロックをそれぞれ収容するだけの一定幅を持ったスペースを有し、かつ本体ケース内の左右に配置されているので、左空間部と右空間部への空気流入を図る空気吸込み口の形成が簡単になり、左右の空間部での熱だまりも軽減することが可能になる。
【００５３】
【実施例】
以下、本発明の実施例について図面を用いて説明する。
【００５４】
（実施例１）
図１はガスを燃料とした温風暖房機における本体ケースの正面からの概略内部構成図で、図２は同本体ケースの外観正面図で、図３は同本体ケースの上面からの概略内部構成図で、図４は同本体ケースの側断面図である。図６〜図１０に示す従来の技術におけるガス温風暖房機と同一構成部分には同一符号を付している。
【００５５】
ガス温風暖房機の本体ケース１は、前面下部の中央に温風吹出し口２、背面に空気吸込み口３、天面中央部分に機器の運転を操作したり運転状況を表示する操作部４、背面中央に機器を持ち運びする際に手を入れて握る取っ手５をそれぞれ有している。
【００５６】
そして、本体ケース１内には、空気吸込み口３を介して居室内から取りこんだ空気を暖めるため、ガスを燃焼する燃焼部分６ａおよびガスと一次空気を混合するスロート部６ｂからなる燃焼バーナ６とこれの真下に配置し、暖められた前記空気を温風として温風吹出し口２より再び居室内に送りだす送風ファン７とを収納した金属ケースの燃焼ブロック８と、燃料を取りこみ燃焼バーナ６に供給および停止をする電磁弁（図示せず）、燃焼量に応じて燃料供給を比例制御する比例電磁弁（図示せず）などからなる燃料供給弁ブロック９と、送風ファン７を回転する送風モータ１０と、電源変圧器１１と、制御基板１２などを内装している。
【００５７】
燃焼ブロック８は、本体ケース１の正面に向かって左側と右側に一定幅の左空間部１３ａと右空間部１３ｂを残して、この左右の空間部１３ａ、１３ｂの間で、かつ前後方向の真中である本体ケース１の中央に配置している。また、温風吹出し口２は送風ファン７の温風送出口（図示せず）に最短距離で通じるように燃焼ブロック８の下部に相対向させ、かつ左と右の空間部１３ａ、１３ｂに対向する本体ケース１の前面で閉塞部分２ｂ、２ｂの間である本体ケース１の前面下部の中央に温風の出る細長い長方形状の温風吹出し口２ａを配置し、本体ケース１の前面における左右形状の釣り合いがとれたシンメトリー化と、そして部屋の壁に近接させた温風暖房機の使用形態であっても本体ケース１の側面からの伝熱および温風吹出し口２ａからの温風熱で部屋の壁が熱くなるのを軽減させる構成にしている。
【００５８】
燃料供給弁ブロック９と送風モータ１０と、スロート部６ｂおよびスロート部６ｂに固定され、かつ燃料供給弁ブロック９に燃料供給管１４を介して接続され、ガスをスロート部６ｂに噴出するノズルなどの燃料噴出体１５は右空間部１３ｂに、電源変圧器１１と制御基板１２は左空間部１３ａにそれぞれ配置し、熱を発する送風モータ１０と電源変圧器１１からの熱が一方の空間部に集中しないようにする構成と、本体ケース１の左右の重量バランスを良くする構成にしている。
【００５９】
そして、右空間部１３ｂの燃料供給弁ブロック９とスロート部６ｂおよび燃料噴出体１５と送風モータ１０とは、燃料供給弁ブロック９を一番上にしてスロート部６ｂおよび燃料噴出体１５、送風モータ１０の順で右空間部１３ｂに上下方向へ配列している。また、左空間部１３ａの電源変圧器１１と長方形状の制御基板１２は、電源変圧器１１を下にして本体ケース１の前面側に、制御基板１２を本体ケース１の左側面に沿って上下方向へ燃焼ブロック８より上方までに配列している。
【００６０】
制御基板１２は、マイクロコンピュータおよびその周辺回路で構成され、電源変圧器１１より商用電源を回路に必要な電圧に調整されて供給され、そして温度検知手段である室温検知器１６の検知信号と、使用者の設定した温度信号を取りこんで燃焼バーナ６、燃料供給弁ブロック９、送風モータ１０を制御し機器の暖房運転を制御するものである。室温検知器１６は、燃焼ブロック８の左側である左空間部１３ａに対向する空気吸込み口３の部分に配置する。
【００６１】
送風モータ１０や燃料供給弁ブロック９から導出した配線１７は、燃焼ブロック８の後方を引き回し、電源変圧器１１から導出した配線１７は空間部１３ａを引き回し、それぞれ制御基板１２に接続している。
【００６２】
このように機器を構成する主要部品である燃料供給弁ブロック９と送風モータ１０と、スロート部６ｂおよび燃料噴出体１５は燃焼ブロック８の右側の右空間部１３ｂに、電源変圧器１１と制御基板１２は左空間部１３ａにそれぞれ配置している。これを寸法関係で示すと、図１に示すように機器全体の幅である本体ケース１の幅ｈ１は３７５ｍｍの従来の技術と同じ寸法で、燃焼ブロック８の温風吹出し口２の幅ｈ２は１９０ｍｍで、本体ケース１の中央に設置された燃焼ブロック８から左右に約９０ｍｍのスペースである左空間部１３ａ、右空間部１３ｂが得られる。
【００６３】
この９０ｍｍの右空間部１３ｂは、燃焼ブロック８から突き出たスロート部６ｂと燃料噴出体１５が収まる限度いっぱいの寸法である。今後の開発の中で、燃焼バーナ６の小型化は可能性があり、このスペースにゆとりが生まれてくると同時に、商品のコンパクト化の展開も広がる。
【００６４】
送風モータ１０はその出代である幅ｈ５が７０ｍｍ、燃料供給弁ブロック９は幅ｈ８が４５ｍｍで、送風モータ１０の７０ｍｍと合わすと９０ｍｍのスペースを超えてしまう。そこで、移動可能な燃料供給弁ブロック９はスロート部６ｂの上部に配置する。なお、燃焼バーナ６や送風モータ１０は機器の構成上から配置を変えることは困難である。
【００６５】
配置を従来の技術と変えた燃料供給弁ブロック９は、燃料供給管１４の形状を新規に加工することで燃料噴出体１５との接続が可能になる。また、燃料供給弁ブロック９の構成を新規（横向き）にすれば、送風モータ１０下部に設置することも可能である。左空間部１３ａの電源変圧器１１は幅ｈ６が５０ｍｍと制御基板１２は幅ｈ９が４０ｍｍである。
【００６６】
また、本体ケース１内の構成部品の重量バランスは、燃焼ブロック８を真中に右空間部１３ｂに位置する送風モータ１０が４２０ｇと燃料供給弁ブロック９が４７０ｇで合計８９０ｇである。左空間部１３ａは、電源変圧器１３が５７０ｇと制御基板１２が２８０ｇで、合計８５０ｇとなる。そして、左右の空間部１３ａ、１３ｂの差は４０ｇと均衡したバランスとなり、本体ケース１の後面中央に臨む取っ手５を持って本体ケース１持ち上げた時のバランスの改善になり使いやすい商品の提供が可能となる。
【００６７】
上記実施例において、送風モータ１０により送風ファン７を回転すると、この送風ファン７により空気吸込み口３から矢印で示すように温風用と燃焼用の空気が取り入れられる。ガスは本体ケース１の右空間部１３ｂの取り入れ口（図示せず）から取り入れ燃料供給弁ブロック９でガスの噴出圧の調整を行ない燃料供給管１４を経由して燃料噴出体１５よりスロート部６ｂに噴出し、その時に吸引した空気を混合して燃焼バーナ６の燃焼部分６ａから噴出し、点火により燃焼を開始する。この燃焼熱で暖められた温風用の空気は、送風ファン７により矢印で示すように送られ本体ケース１の前面下部で中央に位置する温風吹出し口２における実質的な温風吹出し口２ａから温風となって噴出し、居室を暖房する。
【００６８】
特に本実施例では、温風吹出し口２ａを本体ケース１の前面左右に形成した一定幅の閉塞部分２ｂの間である本体ケース１の前面下部の中央に開口しているので、本体ケース１の片側に温風吹出し口が偏った従来の技術のように、前記片側と反対側にも温風の出ない吹出し口をわざわざ形成して、本体ケースの前面幅の全体に温風吹出し口があるかのような不要な工作をする必要がなくなり、本体ケースの前面をシンメトリーにできるとともに、簡単な構成にできる。また、本体ケース１の左または右の側面を居室の壁に近接させて温風暖房機を使用した場合でも、本体ケース１内の左右には一定幅の左空間部１３ａと右空間部１３ｂが存在するので、本体ケース１の近接した居室壁への本体ケース１の側面からの伝熱および温風吹出し口２ａからの温風熱が和らげられ、部屋の壁が熱くなるのを軽減させることができる。
【００６９】
また、温風吹出し口２ａが本体ケース１の前面左右に形成した一定幅の閉塞部分２ｂ、２ｂの間である本体ケース１の前面下部の中央に位置することで、温風吹出し口２ａの左側と右側の点線で示す閉塞部分２ｂ、２ｂに対向する本体ケース１内の左側と右側の空間部１３ａと空間部１３ｂの間である本体ケース１内の中央に燃焼ブロック８を配置でき、燃焼ブロック８の送風ファン７の送出口と温風吹出し口２ａの連通路を最短で形成できコンパクトにできることはもちろん、燃料供給弁ブロック９、送風モータ１０、電源変圧器１１のそれぞれを分けて配置することが可能になり、温風暖房機の使い勝手の向上を図ることができる。
【００７０】
すなわち、巻線より比較的に多く熱を発する送風モータ１０と電源変圧器１１を本体ケース１内の右空間部１３ｂと左空間部１３ａに分けて配置しているので、本体ケース１内における左空間部１３ａまたは右空間部１３ｂに送風モータ１０と電源変圧器１１の両者の熱が集中しなくなる。従って、居室の温度を検知する室温検知器１６は左空間部１３ａ内における空気吸込み口３に近接して配置することができ、電源変圧器１１からの多少の熱影響が考えられるものの、従来の技術に比べ送風モータおよび電源変圧器の熱影響が軽減され、正確な温度検知ができて制御基板１２を通じて操作部４に正確な表示ができることになる。
【００７１】
また、送風モータ１０と燃料供給弁ブロック９は本体ケース１内における右空間部１３ｂに、そして左空間部１３ａに電源変圧器１１と制御基板１２などをそれぞれ分けて配置しているので、本体ケース１の左右の重量バランスを従来の技術の温風暖房機よりも高められ持ち運びが容易になるとともに、取って５を本体ケース１の左右の重量がバランスしているため、比較的に簡単な構成にできる。
【００７２】
また左空間部１３ａは電源変圧器１１と制御基板１２、右空間部１３ｂは送風モータ１０と燃料供給弁ブロック９をそれぞれ収容するだけの一定幅を持ったスペースを有し、かつ本体ケース内の左右に配置されているので、左空間部１３ａと右空間部１３ｂへの空気流入を図る空気吸込み口３の形成が簡単にできるとともに、左右の空間部１３ａ、１３ｂでの熱だまりも軽減できる。
【００７３】
以上のように本実施例は、温風暖房機をシンメトリーにでき、温風吹出し口の色彩を含めたデザインイメージの展開が可能になる。また、本体ケース内の左右の空間部での熱だまりが解消され、空気吸込み口の形状を容易に決定することができる。さらに、本体ケースの設置場所における左右の規制が不要になり、取扱説明書やチラシでの特別の注意喚起も不要になる。
【００７４】
（実施例２）
本実施例は、居室内の室温を検知する室温検知器の配置において実施例１の発明と異なるだけなので、図１〜図４を利用して同一構成並びに作用効果を奏する部分には同じ符号を付して詳細な説明を省略し、異なる部分を中心に説明する。
【００７５】
室温検知器１６は配線により制御基板１２に接続し、かつ送風モータ１０の熱影響を回避するため、本体ケース１の左空間部１３ａ内において前側低部に位置させた電源変圧器１１と一定距離を隔てた本体ケース１の後面に設けた空気吸込み口３に近接させて配置し、送風ファン７の吸引作用で空気吸込み口３から流入する空気により居室の室温を検知する構成にしている。
【００７６】
上記実施例において、実施例１で説明したように暖房運転を行なうと、送風モータ１０により送風ファン７が回転し、この送風ファン７により空気吸込み口３から矢印で示すように温風用と燃焼用の空気が本体ケース１内に取り入れられる。そして、室温検知器１６は左空間部１３ａ内における電源変圧器１１と一定距離を隔て、電源変圧器１１から発する熱影響を軽減し本体ケース１の後面に近接した空気吸込み口３のところで流入する空気の温度を正確に検知する。制御基板１２は室温検知器１６が読み取った温度を取り込んで従来の技術で説明したような補正を加えることなく操作部４に表示する。
【００７７】
従って、従来の技術のように、送風モータ１０と電源変圧器１１の両者から発する熱が、左空間部１３ａまたは右空間部１３ｂのどちらか一箇所に集中しないので室温検知器１６は、送風モータ１０と電源変圧器１１の両者の熱影響を受けることがなくなり、正確に室温を検知できる。そして、従来の技術で説明したように室温検知器１６が実際の室温より高めの温度検知をしてしまうのを補正することが不必要になり、マイクロコンピュータを含め制御基板１２の構成を簡単にできる。
【００７８】
以上のように本実施例は、運転初期と運転安定時における室温表示のアンバランスを解消できる。
【００７９】
（実施例３）
本実施例は、制御基板に対する主要部品から導出した配線の接続構成において実施例１および２の発明と異なるだけなので、図１〜図４を利用して同一構成並びに作用効果を奏する部分には同じ符号を付して詳細な説明を省略し、異なる部分を中心に説明する。
【００８０】
主要部品である燃料供給弁ブロック９、送風モータ１０、電源変圧器１１などから導出したそれぞれの配線１７には、制御基板１２のコネクタ１９に差し込んで接続するコネクタ１８を設けている。制御基板１２は、本体ケース１の左側面に沿って設けた状態において、主要部品などから導出したそれぞれの配線１７のコネクタ１８を右手で持って右側から左側方向に差し込んでコネクタ１９に接続することが可能なように複数のコネクタ１９が、本体ケース１の右側面に相対向するように平面に設けている。
【００８１】
上記実施例において、温風暖房機の組立工程にあって、燃焼ブロック８、燃料供給弁ブロック９、送風モータ１０、電源変圧器１１、制御基板１２などを、実施例１で説明した所定位置に設置した後に、主要部品の配線１７を制御基板１２に接続する。すなわち、作業者は配線１７のコネクタ１８を右手で持って右側から左側方向に差し込んで制御基板１２のコネクタ１９に接続することができる。
【００８２】
従って、制御基板１２のコネクタ１９に接続する主要部品から導出した配線１７のコネクタ１８の挿入作業が人間工学的に自然な姿勢の右手の手先で行え、また一般的に右利きの人が多い実情からも、作業性の改善向上が図れる。
【００８３】
（実施例４）
図５は、本発明の温風暖房機における本体ケースの内部側の後面図である。本実施例は、主要部品から導出した配線を固定するガイドを設けた構成において実施例１〜３の発明と異なるだけなので、図１〜図４を利用して同一構成並びに作用効果を奏する部分には同じ符号を付して詳細な説明を省略し、異なる部分を中心に説明する。
【００８４】
配線１７を固定する金属片のガイド２０は、金属製の本体ケース１の後面における空気吸込み口３の下部において、本体ケース１の後面を内側へ切起こして横方向に適切な間隔で複数設けている。
【００８５】
上記実施例において、温風暖房機の組立工程にあって、燃焼ブロック８、燃料供給弁ブロック９、送風モータ１０、電源変圧器１１、制御基板１２などを、実施例１で説明した所定位置に設置した後に、主要部品の配線１７を制御基板１２に接続する。
【００８６】
すなわち、送風モータ１０と燃料供給弁ブロック９から導出した配線１７は、燃焼ブロック８の後方を引き回し、電源変圧器１１から導出した配線１７は空間部１３ａを引き回し、それぞれ制御基板１２に接続している。そして、送風モータ１０と燃料供給弁ブロック９から導出した配線１７は、複数のガイド２０に引っ掛け、そしてガイド２０を少し押し上げて本体ケース１の後面とで押さえられる。
【００８７】
従って、本体ケース１の左右に空間部１３ａ、１３ｂを配置し、この左右の空間部に主要部品を配置したために配線１７が左右方向に引き回されて複雑になる時は、ガイド２０の機能が効果的に発揮され、燃焼ブロック８の熱影響や、端面エッジの影響を受けることを回避し安全性を確保できる。
【００８８】
なお、上記実施例においてガイド２０は本体ケース１の後面に設けたが、図４に示す燃焼ブロック８の前面、または本体ケース１の底板に設けても本実施例と同様の効果を期待できる。
【００８９】
（実施例５）
図５は、本発明の温風暖房機における本体ケースの内部側の後面図である。本実施例は、本体ケースの後面に設けた空気吸込み口の構成において実施例１〜４の発明と異なるだけなので、図１〜図４を利用して同一構成並びに作用効果を奏する部分には同じ符号を付して詳細な説明を省略し、異なる部分を中心に説明する。
【００９０】
本体ケース１の後面に設けた空気吸込み口３は、図５に示すように燃焼ブロック８を中心として本体ケース１の後面左右に対称的に配列した多数の孔から構成されている。すなわち、空気吸込み口３は、本体ケース１の左右に形成した一定幅の左空間部１３ａと右空間部１３ｂの間である燃焼バーナ６および送風ファン７を収納している燃焼ブロック８に相対向して２列に配列した複数の横長の孔３ａと、左空間部１３ａと右空間部１３ｂにそれぞれ相対向した複数の小さい孔３ｂとで構成し、これらの孔の配列と孔面積で以って、温風用に必要な空気量と燃焼に必要な空気量を取り入れられるよう形成している。
【００９１】
上記実施例において、実施例１で説明したように暖房運転を行なうと、送風モータ１０により送風ファン７が回転し、この送風ファン７により空気吸込み口３から矢印で示すように温風用と燃焼用の空気が本体ケース１内に取り入れられる。すなわち、空気は本体ケース１の後面の中心より左右において上下方向に配列した２列の横長の孔３ａより燃焼ブロック８の左右付近に、そして本体ケース１の後面の左側と右側の小さい孔３ｂより、それぞれ左空間部１３ａと右空間部１３ｂに流入する。
【００９２】
従って、本体ケース１の後面における左右対称に配列された孔３ａと孔３ｂからなる空気吸込み口３からは、空気が本体ケース１内に偏ることなく均一に全体から流入するので、従来の技術のように、本体ケースの左側に温風吹出し口と燃焼バーナおよび送風ファンが偏って配置されたことにより生じる本体ケースの右側の熱だまりが解消されるとともに、それぞれ左空間部１３ａと右空間部１３ｂにも空気の流れがあるので、熱だまりを積極的に解消でき、室温検知器１６、制御基板１２などに対する環境を良好に保つことができる。また、温風として居室内からとりこむ空気量や燃焼に必要な空気量の機器内への取りこみによる燃焼制御や温度上昇の対策などの設計上の懸案を容易に解消できる。
【００９３】
なお、上記各実施例では本体ケース１の左空間部１３ａと右空間部１３ｂとの一定幅は収容する主要部品の大きさに対応して異なるように形成しているが、同じ幅であっても本実施例の作用効果を期待できるものであり、前記した一定幅も主要部品を収容できる幅をいうものである。
【００９４】
また、上記実施例における燃料供給弁ブロック９および送風モータ１０の配線１７は燃焼ブロック８の後方を引き回したが、燃焼ブロック８の前面を引き回してもよい。
【００９５】
さらに、上記各実施例では温風吹出し口２ａを本体ケースの前面左右に形成した一定幅の閉塞部分２ｂの間である本体ケース１の前面下部の中央に配置し、左右の閉塞部分２ｂは本体ケース１の他の前面と同じに形成したが、従来の技術と同じように図２の点線で示す左右の閉塞部分２ｂを含む本体ケースの全幅にわたり温風吹出し口があるように色彩などで加工しても本実施例と同様の作用効果を期待できるものである。また、上記各実施例の温風暖房機はガスを燃料としたものであるが、石油を燃料とする石油温風暖房機にも適用できるものである。
【００９６】
【発明の効果】
以上のように本発明は、本体ケースの前面左右の釣り合いを図ることができるとともに、本体ケースの設置場所における左右の規制が解消できるなどの使い勝手のよい温風暖房機を提供できる。
【図面の簡単な説明】
【図１】本発明の温風暖房機の実施例１〜５における本体ケースの正面の概略内部構成図
【図２】同実施例１〜５における本体ケースの外観正面図
【図３】同実施例１〜５における本体ケースの上面の概略内部構成図
【図４】同実施例１〜５における本体ケースの側断面図
【図５】同実施例５における本体ケースの内部後面図
【図６】従来の技術のガス温風暖房機における本体ケースの正面の概略内部構成図
【図７】同本体ケースの外観正面図
【図８】同本体ケースの上面の概略内部構成図
【図９】同本体ケースの側断面図
【図１０】同本体ケースの内部後面図
【符号の説明】
１  本体ケース
２、２ａ  温風吹出し口
２ｂ  閉塞部分
３  空気吸込み口
３ａ  横長の孔
３ｂ  小さい孔
６  燃焼バーナ
７  送風ファン
８  燃焼ブロック
９  燃料供給弁ブロック
１０  送風モータ
１１  電源変圧器
１２  制御基板
１３ａ  左空間部
１３ｂ  右空間部
１６  室温検知器
１７  配線
２０  ガイド
【図１】
2004183975.tif 000003
【図２】
2004183975.tif 000004
【図３】
2004183975.tif 000005
【図４】
2004183975.tif 000006
【図５】
2004183975.tif 000007
【図６】
2004183975.tif 000008
【図７】
2004183975.tif 000009
【図８】
2004183975.tif 000010
【図９】
2004183975.tif 000011
【図１０】
2004183975.tif 000012